(57)【要約】【課題】良好な組立性が得られる携帯端末を提供する。【解決手段】携帯端末１０は、筐体１１に収容されたシャーシ１５と、シャーシ１５における第１内面２５と、第１内面２５に対して入隅部２６を介して隣り合う第２内面２７と、第１内面２５および第２内面２７に沿って配置されるフレキシブル基板１８と、第１内面２５に設けられて入隅部２６に向く第１突設面３２と、第２内面２７に設けられて入隅部２６に向く第２突設面３３と、フレキシブル基板１８に設けられ、第１突設面３２および第２突設面３３にそれぞれ係合可能な第１係合面４３および第２係合面４４とを備えている。【選択図】図４
2013183343.tif 000002
【特許請求の範囲】
【請求項１】
筐体と、
前記筐体に収容されたシャーシと、
前記シャーシにおける第１内面と、
前記第１内面に対して入隅部を介して隣り合う第２内面と、
前記第１内面および前記第２内面に沿って配置されるフレキシブル基板と、
前記第１内面に設けられ、前記入隅部に向く第１突設面と、
前記第２内面に設けられ、前記入隅部に向く第２突設面と、
前記フレキシブル基板に設けられ、前記第１突設面および前記第２突設面にそれぞれ係合可能な第１係合面および第２係合面と、を備える携帯端末。
【請求項２】
請求項１に記載の携帯端末であって、
前記第１内面は、前記シャーシの内底部に凹状に形成され、前記フレキシブル基板を載置可能な水平面であり、
前記第１突設面は、前記第１内面から立設され、且つ前記入隅部に向けて形成された面であり、
前記入隅部は、前記第１内面と前記第２内面との交差部に形成された凹状の隅部であり、
第２突設面は、前記入隅部に向けて形成された段差部である携帯端末。
【請求項３】
請求項１または請求項２に記載の携帯端末であって、
前記筐体内に回路基板を配置箇所に配置した状態で、前記フレキシブル基板の先端部を前記第１内面に対して略平行になるように折り返して、前記回路基板の上面に対峙させ、前記回路基板に先端部を接続する携帯端末。
【発明の詳細な説明】
【技術分野】
【０００１】
本発明は、筐体の内部にフレキシブル基板が配置され、フレキシブル基板の先端部が折り返された状態で回路基板に接続されるように構成された携帯端末に関する。
【背景技術】
【０００２】
携帯端末のなかには、筐体の内部の底面に沿わせたフレキシブル基板を折り返し、折り返されたフレキシブル基板を回路基板の上面に接続するものが知られている（例えば、特許文献１）。
具体的には、筐体の底面および底面に隣り合う側内面にフレキシブル基板を沿わせることにより、フレキシブル基板の先端部が直立される。先端部が直立された状態で、回路基板が配置箇所に設けられる。
この状態で、フレキシブル基板の先端部が回路基板の上面に対峙するように折り返され、折り返された先端部が回路基板の上面に接続される。
【先行技術文献】
【特許文献】
【０００３】
【特許文献１】特開２００９−１０４１２８号公報（図８）
【発明の概要】
【発明が解決しようとする課題】
【０００４】
ところで、フレキシブル基板の先端部を折り返して回路基板に接続する際に、回路基板が配置位置に設けられるまで、フレキシブル基板の先端部を直立状態に安定させておく必要がある。
しかし、フレキシブル基板が筐体から浮いた状態に保たれた場合、フレキシブル基板の先端部が不安定な状態に配置される。先端部が不安定な状態に配置されると、回路基板を配置位置に設ける際に、先端部が回路基板の下敷きになる可能性あり、組立性が悪く、フレキシブル基板が破損する虞がある。
【０００５】
ここで、フレキシブル基板が筐体から浮いた状態に保たれない方法として、筐体の底面および底面に隣り合う側内面との二箇所にリブを設け、フレキシブル基板の二箇所に嵌合孔を設けることが考えられる。
フレキシブル基板の二箇所の嵌合孔を筐体の二箇所のリブに嵌合させることにより、フレキシブル基板を筐体に保持して、フレキシブル基板の先端部を直立状態に安定させることが可能である。
しかし、フレキシブル基板の二箇所の嵌合孔を筐体の二箇所のリブに嵌合させた場合、フレキシブル基板に想定外の力が加わったとき、フレキシブル基板の逃げ場がなく、二箇所の嵌合孔が広がって亀裂が発生することが考えられる。
【０００６】
本発明は、前述した課題を解決するためになされたものであり、その目的は、良好な組立性が得られる携帯端末を提供することにある。
【課題を解決するための手段】
【０００７】
本発明の携帯端末は、筐体と、前記筐体における第１内面と、前記第１内面に対して入隅部を介して隣り合う第２内面と、前記第１内面および前記第２内面に沿って配置されるフレキシブル基板と、前記第１内面に設けられ、前記入隅部に向く第１突設面と、前記第２内面に設けられ、前記入隅部に向く第２突設面と、前記フレキシブル基板に設けられ、前記第１突設面および前記第２突設面にそれぞれ係合可能な第１係合面および第２係合面と、を備える。
【０００８】
第１内面に第１突設面を入隅部に向けて設け、第２内面に第２突設面を入隅部に向けて設けた。また、第１内面および第２内面に沿ってフレキシブル基板を配置可能とし、フレキシブル基板に第１係合面および第２係合面を設けた。さらに、第１係合面を第１突設面に係合可能とし、かつ第２係合面を第２突設面に係合可能とした。
【０００９】
さらに、本発明の携帯端末は、前記第１内面は、前記シャーシの内底部に凹状に形成され、前記フレキシブル基板を載置可能な水平面であり、前記第１突設面は、前記第１内面から立設され、且つ前記入隅部に向けて形成された面であり、前記入隅部は、前記第１内面と前記第２内面との交差部に形成された凹状の隅部であり、第２突設面は、前記入隅部に向けて形成された段差部であるものである。
【００１０】
よって、第１係合面を第１突設面に係合し、かつ、第２係合面を第２突設面に係合させることにより、フレキシブル基板を第１内面および第２内面に沿って配置した状態に保持できる。これにより、第２内面から突出するフレキシブル基板の先端部を直立状態に安定させておくことができる。
フレキシブル基板の先端部を直立状態に安定させることにより、先端部を回路基板の配置箇所から回避させた位置に保持できる。よって、先端部に干渉させることなく回路基板を配置箇所に容易に配置できる。
【００１１】
さらに、本発明の携帯端末は、前記筐体内に回路基板を配置箇所に配置した状態で、前記フレキシブル基板の先端部を前記第１内面に対して略平行になるように折り返して、前記回路基板の上面に対峙させ、前記回路基板に先端部を接続するものである。
このように、フレキシブル基板の先端部を直立状態に安定させることにより回路基板を配置箇所に容易に配置できるので、回路基板にフレキシブル基板の先端部を接続する作業を容易に行うことができる。
【発明の効果】
【００１２】
本発明の携帯端末によれば、第１係合面および第２係合面を第１突設面および第２突設面にそれぞれ係合させることにより、フレキシブル基板の先端部を直立状態に安定させることができる。
従って、先端部に干渉させることなく回路基板を配置箇所に容易に配置できるので、回路基板にフレキシブル基板の先端部を接続する作業が容易になり、良好な組立性が得られる。
【図面の簡単な説明】
【００１３】
【図１】本発明に係る携帯端末を示す分解斜視図
【図２】図１のシャーシを示す平面図
【図３】図１のシャーシから回路基板を除去した状態を示す斜視図
【図４】図３のＩ部拡大図
【図５】図２のＩＩ部拡大図
【図６】図５のＩＩＩーＩＩＩ線断面図
【図７】本発明に係るシャーシにフレキシブル基板を取り付ける例を示す斜視図
【発明を実施するための形態】
【００１４】
以下、本発明の実施形態に係る携帯端末について図面を参照して説明する。
【００１５】
図１に示すように、携帯端末１０は、筐体１１と、筐体１１に収容されたシャーシ１５と、シャーシ１５に支持される電池パック１６と、電池パック１６に隣接する第１回路基板１７と、シャーシ１５に沿って配置されたフレキシブル基板１８とを備えている。
【００１６】
筐体１１は、略矩形枠状に形成されて表面側に開口１２Ａを有するケース１２と、ケース１２の裏面側に取り付けられたカバー１３とを備えている。
ケース１２の開口１２Ａで、かつ、シャーシ１５の表面１５Ａ側に表示部が設けられ、表示部が保護カバーで覆われている。
【００１７】
図２、図３に示すように、シャーシ１５は、略矩形状に形成された金属製のシャーシ本体２１と、シャーシ本体２１の周縁２１Ａに設けられた樹脂製のシャーシ周縁部２２とを備えている。
シャーシ周縁部２２は、シャーシ本体２１の上縁２１Ｂに沿って設けられたシャーシ縁２２Ａを有する。
【００１８】
図４、図５に示すように、シャーシ縁２２Ａは、第１内面２５、入隅部２６（図６参照）、第２内面２７、第１突設面３２および第２突設面３３を有する。
第１内面２５は、シャーシ縁２２Ａの内底部２２Ｂに凹状に形成され、フレキシブル基板１８を載置可能な水平面である。この第１内面２５に突出部３１（図６も参照）が上方に向けて突出されている。
【００１９】
図６に示すように、突出部３１の先端３１Ａに第１回路基板１７が載置される。第１回路基板１７の上面１７Ａにコネクタ３４が設けられている。
突出部３１のうち入隅部２６に対峙する面が第１突設面３２となる。
すなわち、第１突設面３２は、第１内面２５から立設され、かつ入隅部２６に向けて形成された面である。
入隅部２６は、第１内面２５と第２内面２７との交差部に形成された凹状の隅部である。
【００２０】
図４、図５に示すように、第２内面２７は、シャーシ縁２２Ａの内壁部２２Ｃに凹状に形成され、フレキシブル基板１８を収容可能な鉛直面である。
具体的には、第２内面２７は、第１内面２５に対して入隅部２６を介して隣り合う面であって、第１内面２５に対して交差するように形成されている。この第２内面２７に第２突設面３３が設けられている。
第２突設面３３は、図６に示すように、入隅部２６に向けて形成された段差部（すなわち、庇部）である。
【００２１】
図１に示すように、電池パック１６は、シャーシ１５の裏面１５Ｂ側において略半分の領域に載置可能な略矩形体状に形成されている。
電池パック１６の第１壁部１６Ａに第１回路基板１７が隣接されている。また、第１回路基板１７とは反対側の第２壁部１６Ｂに第２回路基板３５が隣接されている。
第１回路基板１７および第２回路基板３５は電線３６で接続され、この電線３６が電池パック１６の第３壁部１６Ｃ側に配置されている。
【００２２】
図４、図５に示すように、シャーシ本体２１の上縁２１Ｂに沿ってフレキシブル基板１８が配置されている。
フレキシブル基板１８は、第１内面２５に沿う水平部位１８Ａに開口部３８（図７も参照）が形成され、第２内面２７に沿う鉛直部位１８Ｂの両側に一対の凹み部４１が形成されている。
【００２３】
図６に示すように、フレキシブル基板１８の水平部位１８Ａが両面テープ３９を介して第１内面２５に沿って配置されることにより、開口部３８が突出部３１に嵌合される。
開口部３８は、突出部３１の第１突設面３２に係合可能な第１係合面４３を有する。
また、フレキシブル基板１８の鉛直部位１８Ｂが第２内面２７に沿って配置されることにより、一対の凹み部４１が第２内面２７に配置される。
一対の凹み部４１は、第２突設面３３に係合可能な第２係合面４４を有する。
【００２４】
フレキシブル基板１８は、第１内面２５および第２内面２７に沿って湾曲状に折り曲げられた状態で配置されることにより、フレキシブル基板１８の先端部１８Ｃ（想像線で示す）が第２内面２７から突出されている。先端部１８Ｃにコネクタ４６が設けられている。
【００２５】
次に、フレキシブル基板１８を第１回路基板１７に接続する手順を図６、図７に基づいて説明する。
図７に示すように、フレキシブル基板１８（水平部位１８Ａ）の開口部３８を突出部３１に合わせ、水平部位１８Ａを矢印方向に下げることにより、開口部３８を突出部３１に嵌合する。
【００２６】
図６に示すように、フレキシブル基板１８の水平部位１８Ａが両面テープ３９を介して第１内面２５に沿って接着される。
さらに、フレキシブル基板１８の鉛直部位１８Ｂを第２内面２７に沿って配置する。
この状態において、第１突設面３２に第１係合面４３が係合され、第２突設面３３に第２係合面４４が係合される。
【００２７】
よって、フレキシブル基板１８を第１内面２５および第２内面２７に沿って配置した状態に保持できる。これにより、第２内面２７から突出するフレキシブル基板１８の先端部１８Ｃを直立状態（想像線で示す状態）に安定させておくことができる。
先端部１８Ｃを直立状態に安定させることにより、先端部１８Ｃを突出部３１の先端３１Ａから回避させた位置に保持できる。
よって、先端部１８Ｃに第１回路基板１７を干渉させることなく第１回路基板１７を突出部３１の先端３１Ａに容易に載置できる。
【００２８】
突出部３１の先端３１Ａに第１回路基板１７を載置した状態で、第２内面２７から突出したフレキシブル基板１８の先端部１８Ｃを第１内面２５に対して略平行になるように矢印方向に折り返す。
先端部１８Ｃを折り返した状態で、第１回路基板１７のコネクタ３４に先端部１８Ｃのコネクタ４６を接続する。
【００２９】
このように、フレキシブル基板１８の先端部１８Ｃを直立状態に安定させることにより、第１回路基板１７を突出部３１の先端３１Ａに容易に載置できる。
これにより、第１回路基板１７の上面１７Ａに先端部１８Ｃのコネクタ４６を接続する作業を容易に行うことができ、良好な組立性が得られる。
【００３０】
ここで、フレキシブル基板１８の鉛直部位１８Ｂを第２内面２７に沿って配置する際に、第２突設面３３（すなわち、庇部）に第２係合面４４を係合するようにした。
よって、組立の際にフレキシブル基板１８に想定外の力が加わったとき、第２突設面（庇部）３３から第２係合面４４を外してフレキシブル基板１８を逃がすことが可能である。
これにより、フレキシブル基板１８に変形や破損が発生することを抑えることができる。
【００３１】
なお、本発明に係る携帯端末は、前述した実施形態に限定されるものではなく適宜変更、改良等が可能である。
例えば、実施形態で使用した携帯端末、筐体、シャーシ、フレキシブル基板、第１内面、入隅部、第２内面、第１突設面、第２突設面、第１係合面および第２係合面等の形状や構成は例示したものに限定するものではなく適宜変更が可能である。
【産業上の利用可能性】
【００３２】
本発明は、筐体の内部にフレキシブル基板を配置し、フレキシブル基板の先端部を折り返した状態で回路基板に接続可能な携帯端末への適用に好適である。
【符号の説明】
【００３３】
１０  携帯端末
１１  筐体
１５  シャーシ
１８  フレキシブル基板
２５  第１内面
２６  入隅部
２７  第２内面
３２  第１突設面
３３  第２突設面
４３  第１係合面
４４  第２係合面
【図１】
2013183343.tif 000003
【図２】
2013183343.tif 000004
【図３】
2013183343.tif 000005
【図４】
2013183343.tif 000006
【図５】
2013183343.tif 000007
【図６】
2013183343.tif 000008
【図７】
2013183343.tif 000009